(57)【特許請求の範囲】
【請求項１】
一端部及び他端部を有し、内部にケーブルが挿通される管本体及び当該管本体に外嵌された連結具とを備え、隣り合わされた管本体のうちの一方の一端部と他方の他端部とが上記連結具を介して嵌合連結されることにより長尺のケーブルを囲繞し得るケーブル保護体であって、
上記管本体の他端部及び一端部にそれぞれ雌型受け口部及び当該雌型受け口部に対応して弾性的且つ液密的に嵌合可能に形成された雄型挿し口部が設けられており、
上記雌型受け口部の外周面に雄ネジが形成されると共に、上記連結具は上記雄ネジに対応した雌ネジを有しており、
上記雌型受け口部は、上記雄型挿し口部が上記隣り合う管本体の雌型受け口部に嵌合され且つ上記連結具が当該雌型受け口部に形成された雄ネジに螺合した状態で、当該連結具の締め込みを所定位置で規制するストッパを有し、
上記雄型挿し口部は、上記連結具が上記隣り合う管本体の雌型受け口部に設けられたストッパによって締め込みが規制された状態で、上記連結具の所定部と当接し且つ上記雄型挿し口部が上記隣り合う管本体の雌型受け口部に対してフレックスピボット変位を許容する変位案内部を有し、
上記連結具の所定部及び上記変位案内部に、互いに当接して上記フレックスピボット変位を案内する球面の一部からなる案内曲面が形成されており、
当該案内曲面の中心は、上記管本体の一端部側の軸線上に位置し且つ当該案内曲面の法線と上記中心とを結ぶ仮想線分の上記管本体の軸線方向への投影長さが、当該仮想線分の上記管本体の径方向への投影長さより大きくなるように配置されており、
弾性変形可能な第１のＯリングが上記雄型挿し口部の外周面に装着されており、当該第１のＯリングの外径は、上記隣り合う管本体の雌型受け口部の内径よりも大きく設定されており、
弾性変形可能な第２のＯリングが上記雄型挿し口部の端面から突出するように配置されている、ケーブル保護体。
【請求項２】
一端部及び他端部を有し、内部にケーブルが挿通される管本体及び当該管本体に外嵌された連結具とを備え、隣り合わされた管本体のうちの一方の一端部と他方の他端部とが上記連結具を介して嵌合連結されることにより長尺のケーブルを囲繞し得るケーブル保護体であって、
上記管本体の他端部及び一端部にそれぞれ雌型受け口部及び当該雌型受け口部に対応して弾性的且つ液密的に嵌合可能に形成された雄型挿し口部が設けられており、
上記雌型受け口部の外周面に雄ネジが形成されると共に、上記連結具は上記雄ネジに対応した雌ネジを有しており、
上記雌型受け口部は、上記雄型挿し口部が上記隣り合う管本体の雌型受け口部に嵌合され且つ上記連結具が当該雌型受け口部に形成された雄ネジに螺合した状態で、当該連結具の締め込みを所定位置で規制するストッパを有し、
上記雄型挿し口部は、上記連結具が上記隣り合う管本体の雌型受け口部に設けられたストッパによって締め込みが規制された状態で、上記連結具の所定部と当接し且つ上記雄型挿し口部が上記隣り合う管本体の雌型受け口部に対してフレックスピボット変位を許容する変位案内部を有し、
上記連結具の所定部及び上記変位案内部に、互いに当接して上記フレックスピボット変位を案内する曲面の一部からなる案内曲面が形成されており、
当該案内曲面の中心は、上記管本体の一端部側の軸線上に位置し且つ当該案内曲面の法線と上記中心とを結ぶ仮想線分の上記管本体の軸線方向への投影長さが、当該仮想線分の上記管本体の径方向への投影長さより大きくなるように配置されており、
上記雄型挿し口部の一部又は全部が上記隣り合う管本体の雌型受け口部と弾性的且つ液密的に嵌合し得る弾性体からなる、ケーブル保護体。
【請求項３】
上記ストッパは、上記雌型受け口部に形成されたフランジである請求項１又は２に記載のケーブル保護体。
【請求項４】
上記雌型受け口部は、上記所定位置で締め込みが規制された上記連結具に係合し、当該連結具の緩みを規制する緩止部を有する請求項１又は２に記載のケーブル保護体。
【請求項５】
上記連結具は径方向内側に突出する突起を有し、上記緩止部は、上記雌型受け口部に設けられ、上記突起が嵌合する緩止溝である請求項４に記載のケーブル保護体。
【請求項６】
上記雌型受け口部の内周面のうち上記雄型挿し口部が当接する部分に弾性体が配置されている請求項１又は２に記載のケーブル保護体。
【請求項７】
上記雌型受け口部のうち少なくとも上記雄型挿し口部が当接する部分が弾性体からなる請求項１又は２に記載のケーブル保護体。
【請求項８】
上記連結具は、二分割可能な一対の連結具半体を有する請求項１又は２に記載のケーブル保護体。
【請求項９】
上記一対の連結具半体は、両者間に挿入される連結ピンにより連結されている請求項８に記載のケーブル保護体。
【請求項１０】
上記連結具の外周面に軸方向に沿って凸条が形成されている請求項１又は２に記載のケーブル保護体。
【請求項１１】
上記雌型受け口部及び雄型挿し口部は、上記管本体と一体的に形成されている請求項１又は２に記載のケーブル保護体。
【請求項１２】
上記管本体にメンテナンス窓及び当該メンテナンス窓を開閉する蓋が設けられている請求項１又は２に記載のケーブル保護体。
【請求項１３】
上記管本体に当該管本体の径方向に突出する筒体が設けられ、上記メンテナンス窓は、当該筒体の端部開口により形成されている請求項１２に記載のケーブル保護体。
【請求項１４】
上記筒体は、弾性体によって構成されている請求項１３に記載のケーブル保護体。
【請求項１５】
上記筒体は上記管本体と一体的に形成され、
上記蓋は、シール部材を介して上記管本体に設けられている請求項１３又は１４に記載のケーブル保護体。
【発明の詳細な説明】
【技術分野】
【０００１】
本発明は、電線ケーブル、光ファイバーケーブル、その他のケーブルを、地中に埋設する際、あるいは地表に敷設する際に使用されるケーブル保護体に関する。
【背景技術】
【０００２】
ケーブルが地中に埋設される場合に、外力からケーブルを保護するために、例えば、特許文献１に開示されたケーブル保護体が使用される。このケーブル保護体は、内部にケーブルが挿通される複数の管体が軸方向に沿って連結されている。各管体は、２分割可能な樹脂製の保護ケース内にそれぞれ収容されている。
【０００３】
各管体は、一方の端部に雌型受け口部が設けられており、他方の端部に雄型挿し口部が設けられている。一方の管体の雌型受け口部の内部に他方の管体の雄型挿し口部が挿入されることによって、隣り合う一対の管体が接続される。嵌合された雌型受け口部と雄型挿し口部との間に、弾性部材が介在されている。
【０００４】
このケーブル保護体では、上記弾性部材が弾性変形することにより、隣り合う管体同士が相対的に変位可能になっている。このため、各管体が収容された保護ケースに外力が加わった場合にも、相互に接続された管体同士が変位することにより、それぞれの管体が破損することが抑制され、管体同士の接続状態が安定的に維持される。
【先行技術文献】
【特許文献】
【０００５】
【特許文献１】特許第５８１４４５３号公報
【発明の概要】
【発明が解決しようとする課題】
【０００６】
地中に埋設されるケーブルの深度が浅い場合には、ケーブル保護体に加わる外力は、比較的小さくなる。また、地表にケーブルが敷設される場合には、地中に埋設される場合よりも、ケーブル保護体に作用する外力は小さい。このような場合には、実質的に上記保護ケースは不要であり、管体だけでケーブルを保護することが可能である。したがって、ケーブルの埋設作業の作業性及び経済性が向上する。ただし、この場合においても、管体に外力が直接的に作用することによる破損等が回避されなければならない。
【０００７】
本発明は、かかる事情に鑑みてなされたものであり、その目的は、作業性及び経済性に優れており、しかも、外力が直接的に作用することによる破損を抑制できる簡潔なケーブル保護体を提供することにある。
【課題を解決するための手段】
【０００８】
(1）本発明の一の局面に係るケーブル保護体は、一端部及び他端部を有し、内部にケーブルが挿通される管本体及び当該管本体に外嵌された連結具とを備え、隣り合わされた管本体のうちの一方の一端部と他方の他端部とが上記連結具を介して嵌合連結されることにより長尺のケーブルを囲繞し得るケーブル保護体に係るものである。上記管本体の他端部及び一端部にそれぞれ雌型受け口部及び当該雌型受け口部に対応して弾性的且つ液密的に嵌合可能に形成された雄型挿し口部が設けられている。上記雌型受け口部の外周面に雄ネジが形成されると共に、上記連結具は上記雄ネジに対応した雌ネジを有している。上記雌型受け口部は、上記雄型挿し口部が上記隣り合う管本体の雌型受け口部に嵌合され且つ上記連結具が当該雌型受け口部に形成された雄ネジに螺合した状態で、当該連結具の締め込みを所定位置で規制するストッパを有する。上記雄型挿し口部は、上記連結具が上記隣り合う管本体の雌型受け部に設けられたストッパによって締め込みが規制された状態で、上記連結具の所定部と当接し且つ上記雄型挿し口部が上記隣り合う管本体の雌型受け口部に対してフレックスピボット変位を許容する変位案内部を有する。上記連結具の所定部及び上記変位案内部に、互いに当接して上記フレックスピボット変位を案内する球面の一部からなる案内曲面が形成されており、当該案内曲面の中心は、上記管本体の一端部側の軸線上に位置し且つ当該案内曲面の法線と上記中心とを結ぶ仮想線分の上記管本体の軸線方向への投影長さが、当該仮想線分の上記管本体の径方向への投影長さより大きくなるように配置されている。弾性変形可能な第１のＯリングが上記雄型挿し口部の外周面に装着されており、当該第１のＯリングの外径は、上記隣り合う管本体の雌型受け口部の内径よりも大きく設定されている。弾性変形可能な第２のＯリングが上記雄型挿し口部の端面から突出するように配置されている。
【０００９】
本発明に係るケーブル保護体は、内部にケーブルが挿通されることにより、当該ケーブルを囲繞し保護する。道路等に敷設ないし埋設されるケーブルは一般に長尺であるから、これを囲繞するために複数のケーブル保護体が次のように連結される。
【００１０】
一方の管本体の雄型挿し口部が他方の管本体の雌型受け口部の内部に弾性的に且つ液密的に嵌め込まれる。すなわち、上記第１のＯリングが上記雄型挿し口部の外周面に装着されていることから、当該第１のＯリングが弾性変形して隣り合う管本体の雌型受け口部の内壁面に押圧される。同時に、上記第２のＯリングが上記雄型挿し口部の端面から突出するように配置されていることから、当該第２のＯリングが弾性変形して上記雌型受け口部に押圧される。つまり、これら雌型受け口部及び雄型挿し口部の間が防水され、且つ当該雌型受け口部に対して当該雄型挿し口部が弾性的に変位することができる。
【００１１】
この状態で、一方の管本体に設けられた連結具の雌ネジが、隣り合う管本体（すなわち他方の管本体）の雌型受け口部に設けられた雄ネジに螺合される。この連結具が締め込まれて他方の管本体の雌型受け口部に設けられたストッパに当接されると、当該連結具の締め込みが当該ストッパによって規制されると共に、このとき、当該連結具の所定部が一方の管本体の雄型挿し口部に設けられた変位案内部に当接する。上記連結具の締め込みが規制されているから、当該連結具は、所定の押圧力で上記変位案内部に当接している。すなわち、この押圧力が過大にならないから、他方の管本体の雌型受け口部に対して一方の管本体の雄型挿し口部は、フレックスピボット変位が可能となる。
【００１２】
フレックスピボット変位は、連結具の案内曲面と変位案内部の案内曲面とが互いに摺動することによって行われる。これらの案内曲面は球面であり、その中心の位置は、上記管本体の一端部側の軸線上に存在し、且つ当該案内曲面の法線と上記中心とを結ぶ仮想線分の上記管本体の軸線方向への投影長さが、当該仮想線分の上記管本体の径方向への投影長さより大きくなるように設定されている。つまり、上記雌型受け口部に対して雄型挿し口部のフレックスピボット変位は、必然的にきわめて緩やかなものになる。仮に両者間に外力が作用した場合、これに応じてフレックスピボット変位が生じると共に上記第１及び第２のＯリングも変形し、当該外力が除去された場合には、当該第１及び第２のＯリングの弾性により上記フレックスピボット変位が復帰する。これにより、隣り合うケーブル保護体に作用する外力が吸収され、上記雄型挿し口部及び雌型受け口部のいずれか一方あるいは両方の破損が抑制される。
【００１３】
埋設深度が小さい場合にはケーブル保護体に要求される構造的強度は低く、比較的小さい外力に対して液密性が確保されながら容易に変形することができれば十分であるので、ケーブル保護体は、埋設深度が小さい場合に好適に採用される。ケーブル保護体は、従来のものと比べてケーシングが不要であり、従来のケーブル保護体に比べて簡易な構造で作業性及び経済性に優れる。
【００１４】
(2）本発明の他の局面に係るケーブル保護体は、一端部及び他端部を有し、内部にケーブルが挿通される管本体及び当該管本体に外嵌された連結具とを備え、隣り合わされた管本体のうちの一方の一端部と他方の他端部とが上記連結具を介して嵌合連結されることにより長尺のケーブルを囲繞し得るケーブル保護体である。上記管本体の他端部及び一端部にそれぞれ雌型受け口部及び当該雌型受け口部に対応して弾性的且つ液密的に嵌合可能に形成された雄型挿し口部が設けられている。上記雌型受け口部の外周面に雄ネジが形成されると共に、上記連結具は上記雄ネジに対応した雌ネジを有している。上記雌型受け口部は、上記雄型挿し口部が上記隣り合う管本体の雌型受け口部に嵌合され且つ上記連結具が当該雌型受け口部に形成された雄ネジに螺合した状態で、当該連結具の締め込みを所定位置で規制するストッパを有する。上記雄型挿し口部は、上記連結具が上記隣り合う管本体の雌型受け口部に設けられたストッパによって締め込みが規制された状態で、上記連結具の所定部と当接し且つ上記雄型挿し口部が上記隣り合う管本体の雌型受け口部に対してフレックスピボット変位を許容する変位案内部を有する。上記連結具の所定部及び上記変位案内部に、互いに当接して上記フレックスピボット変位を案内する曲面の一部からなる案内曲面が形成されており、当該案内曲面の中心は、上記管本体の一端部側の軸線上に位置し且つ当該案内曲面の法線と上記中心とを結ぶ仮想線分の上記管本体の軸線方向への投影長さが、当該仮想線分の上記管本体の径方向への投影長さより大きくなるように配置されている。上記雄型挿し口部の一部又は全部が上記隣り合う管本体の雌型受け口部と弾性的且つ液密的に嵌合し得る弾性体からなる。
【００１５】
本発明に係るケーブル保護体は、内部にケーブルが挿通されることにより、当該ケーブルを囲繞し保護する。道路等に敷設ないし埋設されるケーブルは一般に長尺であるから、これを囲繞するために複数のケーブル保護体が次のように連結される。
【００１６】
一方の管本体の雄型挿し口部が他方の管本体の雌型受け口部の内部に弾性的に且つ液密的に嵌め込まれる。すなわち、上記雄型挿し口部の一部又は全部が上記隣り合う管本体の雌型受け口部と弾性的且つ液密的に嵌合し得る弾性体からなるので、当該雄型挿し口部の一部又は全部が弾性変形して隣り合う管本体の雌型受け口部の内壁面に押圧される。つまり、これら雌型受け口部及び雄型挿し口部の間が防水され、且つ当該雌型受け口部に対して当該雄型挿し口部が弾性的に変位することができる。
【００１７】
この状態で、一方の管本体に設けられた連結具の雌ネジが、隣り合う管本体（すなわち他方の管本体）の雌型受け口部に設けられた雄ネジに螺合される。この連結具が締め込まれて他方の管本体の雌型受け口部に設けられたストッパに当接されると、当該連結具の締め込みが当該ストッパによって規制されると共に、このとき、当該連結具の所定部が一方の管本体の雄型挿し口部に設けられた変位案内部に当接する。上記連結具の締め込みが規制されているから、当該連結具は、所定の押圧力で上記変位案内部に当接している。すなわち、この押圧力が過大にならないから、他方の管本体の雌型受け口部に対して一方の管本体の雄型挿し口部は、フレックスピボット変位が可能となる。
【００１８】
フレックスピボット変位は、連結具の案内曲面と変位案内部の案内曲面とが互いに摺動することによって行われる。これらの案内曲面は球面であり、その中心の位置は、上記管本体の一端部側の軸線上に存在し、且つ当該案内曲面の法線と上記中心とを結ぶ仮想線分の上記管本体の軸線方向への投影長さが、当該仮想線分の上記管本体の径方向への投影長さより大きくなるように設定されている。つまり、上記雌型受け口部に対して雄型挿し口部のフレックスピボット変位は、必然的にきわめて緩やかなものになる。仮に両者間に外力が作用した場合、これに応じてフレックスピボット変位が生じると共に上記雄型挿し口部の一部又は全部も変形し、当該外力が除去された場合には、当該雄型挿し口部の一部又は全部の弾性により上記フレックスピボット変位が復帰する。これにより、隣り合うケーブル保護体に作用する外力が吸収され、上記雄型挿し口部及び雌型受け口部のいずれか一方あるいは両方の破損が抑制される。
【００１９】
埋設深度が小さい場合にはケーブル保護体に要求される構造的強度は低く、比較的小さい外力に対して液密性が確保されながら容易に変形することができれば十分であるので、ケーブル保護体は、埋設深度が小さい場合に好適に採用される。ケーブル保護体は、従来のものと比べてケーシングが不要であり、従来のケーブル保護体に比べて簡易な構造で作業性及び経済性に優れる。
【００２０】
(3)  好ましくは、上記ストッパは、上記雌型受け口部に形成されたフランジである。この構成では、上記ストッパの構造が簡単であり、且つ確実に連結具の締め込みが規制される。つまり、上記変位案内部に対する上記連結具の押圧力が過大にならないように確実に規制される。
【００２１】
(4)  好ましくは、上記雌型受け口部は、上記所定位置で締め込みが規制された上記連結具に係合し、当該連結具の緩みを規制する緩止部を有する。この構成では、締め込みが規制された連結具が緩むことが防止される。
【００２２】
(5)  好ましくは、上記連結具は径方向内側に突出する突起を有し、上記緩止部は、上記雌型受け口部に設けられ、上記突起が嵌合する緩止溝である。この構成により、連結具による締め込みが緩むことを、より一層確実に防止することができる。
【００２３】
(6)  好ましくは、上記雌型受け口部の内周面のうち上記雄型挿し口部が当接する部分に弾性体が配置されている。この構成により、隣り合う雄型挿し口部と雌型受け口部との間の液密性がなお一層高くなる。
【００２４】
(7)  好ましくは、上記雌型受け口部のうち少なくとも上記雄型挿し口部が当接する部分が弾性体からなる。この構成によって、隣り合う雄型挿し口部と雌型受け口部との間の液密性がより向上し、両者間の弾性的変位がより一層許容される。
【００２５】
(8)  好ましくは、上記連結具は、二分割可能な一対の連結具半体を有する。この構成によれば、上記連結具は一対の連結具半体が組み合わされることにより、上記連結具が上記管本体に設けられた状態で組み立てられる。したがって、上記連結具の取り付け、交換等の作業性が向上する。
【００２６】
(9)  好ましくは、上記一対の連結具半体は、両者間に挿入される連結ピンにより連結されている。この構成によれば、上記連結具の取付作業が簡単になる。
【００２７】
(10)  好ましくは、上記連結具の外周面に軸方向に沿って凸条が形成されている。この構成によれば、上記連結具の強度が向上し、また、上記連結具の締め込み作業が容易になる。
【００２８】
(11)  好ましくは、上記雌型受け口部及び雄型挿し口部は、上記管本体と一体的に形成されている。この構成によれば、上記管本体、雌型受け口部及び雄型挿し口部が一体的に成型され得る。したがって、ケーブル保護体が安価に製造される。
【００２９】
(12)  好ましくは、上記管本体にメンテナンス窓及び当該メンテナンス窓を開閉する蓋が設けられている。この構成によれば、メンテナンス作業者は、上記蓋を外し、上記メンテナンス窓を通じて、上記管本体内を挿通するケーブルのメンテナンス作業を容易に行うことができる。
【００３０】
(13)  好ましくは、上記管本体に当該管本体の径方向に突出する筒体が設けられ、上記メンテナンス窓は、当該筒体の端部開口により形成されている。この構成によれば、メンテナンス作業者は、上記筒体の端部開口を通じてケーブルのメンテナンス作業が可能になる。
【００３１】
(14)  好ましくは、上記筒体は、弾性体によって構成されている。この構成によれば、上記蓋と上記筒体との高い液密性が確保される。
【００３２】
(15)  好ましくは、上記筒体は上記管本体と一体的に形成され、上記蓋は、シール部材を介して上記管本体に設けられている。この構成によれば、部品点数の増加を伴うことなく、当該ケーブル保護体のメンテナンス性が向上する。しかも、上記蓋が液密的に上記筒体に取り付けられるので、上記管本体への浸水等が確実に防止される。
【発明の効果】
【００３３】
本発明のケーブル保護体は、従来のような保護ケースを備えていないので簡単な構造であり、ケーブルの敷設ないし埋設作業の効率及び経済性に優れている。しかも、複数のケーブル保護体が連結された場合に隣り合うケーブル保護体同士が相対的に変位することができるから、外力が作用しても破損することが防止される。
【図面の簡単な説明】
【００３４】
【図１】図１は、第１ケーブル保護体１０Ａと第２ケーブル保護体１０Ｂとが長手方向に沿って連結されている状態を示す斜視図である。
【図２】図２は、第１ケーブル保護体１０Ａの第１保護管１１Ａとナット２０との縦断面図である。
【図３】図３（Ａ）は、雄型挿し口部１３の一部を拡大した縦断面図、図３（Ｂ）は、雌型受け口部１２の一部を拡大した縦断面図である。
【図４】図４（Ａ）及び図４（Ｂ）は、それぞれ、嵌合連結された一対の第１保護管１１Ａに対してナット２０を分解した状態で示す斜視図である。
【図５】図５は、一方のナット半体２２の斜視図である。
【図６】図６は、隣り合う第１ケーブル保護体１０Ａ同士が連結された状態における連結部分の縦断面図である。
【図７】図７は、隣り合う第１ケーブル保護体１０Ａ同士の連結部分における一部を拡大した縦断面図である。
【図８】図８は、第２ケーブル保護体１０Ｂの縦断面図である。
【図９】図９は、第２ケーブル保護体１０Ｂの一部を拡大した縦断面図である。
【図１０】図１０は、第２ケーブル保護体１０Ｂに設けられた筒体１１Ｄの斜視図である。
【図１１】図１１は、変形例における第１ケーブル保護体１０Ａの縦断面図である。
【図１２】図１２（Ａ）〜（Ｄ）のそれぞれは、第１保護管１１Ａの第１管本体１１Ｃとして使用される管継手４０Ａ〜４０Ｄの側面図である。
【発明を実施するための形態】
【００３５】
以下、本発明の好ましい実施形態が図面を参照されつつ詳細に説明される。なお、本実施形態は本発明の一実施態様にすぎず、本発明の要旨を変更しない範囲で実施態様が変更され得ることは言うまでもない。
【００３６】
図１は、本発明の第１実施形態に係るケーブル保護体１０Ａ（以下、「第１ケーブル保護体１０Ａ」という。）及び第２実施形態に係るケーブル保護体１０Ｂ（以下、「第２ケーブル保護体１０Ｂ」という。）が長手方向に沿って連結されている状態を示す斜視図である。同図では、図中左手前側から順に、二つの第１ケーブル保護体１０Ａ、第２ケーブル保護体１０Ｂ及び第１ケーブル保護体１０Ａが連結されている。
【００３７】
第１ケーブル保護体１０Ａ及び第２ケーブル保護体１０Ｂは、電線ケーブル、光ファイバーケーブル、その他のケーブルを、地中における比較的浅い位置（３０ｃｍ程度以下の深さ）に埋設する場合、あるいは、地表に敷設する場合に好適に使用される。
【００３８】
図２は、第１ケーブル保護体１０Ａの縦断面図である。
【００３９】
図２に示される第１ケーブル保護体１０Ａは、内部にケーブル（図示されず）が挿通される第１保護管１１Ａと、ナット２０（特許請求の範囲に記載された「連結具」に相当）とを備える。第１保護管１１Ａは、第１管本体１１Ｃを備え、この第１管本体１１Ｃに雄型挿し口部１３及び雌型受け口部１２が形成されている。
【００４０】
第１管本体１１Ｃは、直管状に構成されている。雄型挿し口部１３は、第１管本体１１Ｃの一端部、すなわち長手方向（軸心線ＣＬ１に沿った方向）の一端側（図中左側）に第１管本体１１Ｃと一体的に形成されている。雌型受け口部１２は、第１管本体１１Ｃの他端部（図において上記軸心線ＣＬ１に沿った方向の右側）に第１管本体１１Ｃと一体的に形成されている。
【００４１】
第１管本体１１Ｃの長手方向のほぼ中央部にフランジ状の補強リブ１１Ｓが形成されている。この補強リブ１１Ｓは、第１管本体１１Ｃの外周面から一定の高さで径方向に突出しており、全周にわたって連続している。補強リブ１１Ｓの高さは、たとえば２ｍｍに設定される。なお、このような補強リブ１１Ｓは省略されていてもよい。第１管本体１１Ｃの外径、内径、肉厚については、たとえば、外径が１００ｍｍ、内径が９０ｍｍ、肉厚が５ｍｍに設定され得る。
【００４２】
図３（Ａ）及び（Ｂ）は、第１管本体１１Ｃの要部拡大図である。
【００４３】
雄型挿し口部１３の内径は、一定である（図２参照）。図３（Ａ）に示されるように、雄型挿し口部１３の外周面１３Ａは径方向の外側に向かって膨出しており、雄型挿し口部１３の先端近傍部分は、略楔状に形成されている。この雄型挿し口部１３の外周面１３Ａに第１溝部１３Ｂが全周にわたって連続して設けられている。
【００４４】
第１溝部１３Ｂの深さは一定であり、第１溝部１３Ｂの内部に弾性変形可能なゴム製の第１Ｏリング３１が装着されている。第１Ｏリング３１の外径は、第１管本体１１Ｃの他端部に設けられた雌型受け口部１２の内径よりも大きく設定されている。第１Ｏリング３１は、第１溝部１３Ｂに嵌め込まれ、位置決めされている。第１Ｏリング３１は、雄型挿し口部１３の外周面１３Ａを周回しており、第１Ｏリング３１の外縁は、雄型挿し口部１３の外周面１３Ａから径方向外側に突出している。
【００４５】
雄型挿し口部１３の先端面１３Ｃに第２溝部１３Ｄが設けられている。この第２溝部１３Ｄは、第１管本体１１Ｃの軸心線ＣＬ１を中心として先端面１３Ｃを周回している。第２溝部１３Ｄ内に弾性変形可能なゴム製の第２Ｏリング３２が嵌め込まれている。第２Ｏリング３２は、雄型挿し口部１３の先端面１３Ｃから突出している。
【００４６】
雄型挿し口部１３にフランジ状の第１変位案内部１４が設けられている。この第１変位案内部１４は、雄型挿し口部１３の先端面１３Ｃから所定の距離だけ離れた位置に設けられ、径方向外側に突出している。第１変位案内部１４Ａの一方の面１４Ａ（上記先端面１３Ｃ側の面）は、第１管本体１１Ｃの軸心線ＣＬ１に直交する方向に沿った平坦面となっている。本明細書において、上記一方の面１４は、「平坦面１４Ａ」と称される。第１変位案内部１４の他方の面１４Ｂ（雌型受け口部１２側の面）は、曲面に形成されている。本明細書において、上記他方の面１４Ｂは、「第１案内曲面１４Ｂ」と称される。第１案内曲面１４Ｂは、第１保護管１１Ａの軸心線ＣＬ１上に中心が位置する仮想球面の一部から構成される。
【００４７】
第１変位案内部１４は、後述する第２変位案内部２０Ｂ（図２参照）とともにピボットを形成する。後に詳述されるが、雄型挿し口部１３及び雌型受け口部１２が相互に嵌合連結された状態で、両者は、フレックスピボット変位が可能となる。
【００４８】
図２に示されるように、雌型受け口部１２は、円筒形状を呈し、第１管本体１１Ｃと一体的に形成されている。雌型受け口部１２の中心軸は、第１管本体１１Ｃ及び雄型挿し口部１３の中心軸（上記軸芯線ＣＬ１）と一致しており、雌型受け口部１２の内径及び外径は、第１管本体１１Ｃの外径及び内径よりも大きく設定されている。図３（Ｂ）が示すように、雌型受け口部１２の内周面１２Ａと、第１管本体１１Ｃの内周面１１Ｙとの間に段差部１５が形成されている。
【００４９】
雌型受け口部１２の軸心線ＣＬ１に沿った長さＬ１は、雄型挿し口部１３における円弧状に膨出した部分の軸心線ＣＬ１に沿った長さＬ２よりも長い。
【００５０】
図３（Ｂ）に示されるように、雌型受け口部１２の内周面１２Ａに、第３溝部１２Ｈが設けられている。この第３溝部１２Ｈは、上記内周面１２Ａの全周にわたって環状に形成されている。第３溝部１２Ｈの深さは一定であり、その溝幅（軸心線ＣＬ１に沿った長さ）は、雄型挿し口部１３に設けられた第１溝部１３Ｂの溝幅よりも大きい。
【００５１】
第３溝部１２Ｈにリング状のゴム板１２Ｊ（特許請求の範囲に記載された「弾性体」に相当）が嵌合されている。ゴム板１２Ｊは、横断面が矩形状であり、第３溝部１２Ｈから一部が突出した状態で位置決めされている。すなわち、ゴム板１２Ｊは、雌型受け口部１２の内周面１２Ａを周回し且つ当該内周面１２Ａから径方向の内側に突出している。
【００５２】
雌型受け口部１２の外周面に雄ネジ１２Ｂが形成されている。また、雌型受け口部１２と第１管本体１１Ｃとの境界にフランジ１２Ｃが設けられている。フランジ１２Ｃは、雌型受け口部１２の外周面から径方向外側に突出している。フランジ１２Ｃは、後述されるナット２０の締め込みを規制するストッパとして機能する。
【００５３】
フランジ１２Ｃに隣接して緩止溝１２Ｇ（特許請求の範囲に記載された「緩止部」に相当）が設けられている。この緩止溝１２Ｇは、上記フランジ１２Ｃの一部に形成され、当該フランジ１２Ｃを周回する環状溝である。この緩止溝１２Ｇは、後述されるようにナット２０の緩み止めを行うものである。なお、本実施形態では、緩止溝１２Ｇはフランジ１２Ｃに形成されているが、雌型受け口部１２の他の部位に形成されていてもよい。
【００５４】
雌型受け口部１２の内径及び外径は、たとえば１０６ｍｍ及び１１６ｍｍ、肉厚は、第１保護管１１Ａと同様に５ｍｍに設定されている。また、雌型受け口部１２の長さ（軸心線ＣＬ１に沿った長さ）Ｌ１は、たとえば３６ｍｍに設定されている。もっとも、これらの寸法に限定されるものではなく、挿通されるケーブルの大きさ等によって適宜変更される。第１管本体１１Ｃ、雌型受け口部１２及び雄型挿し口部１３は、たとえば、ＰＥ（ポリエチレン）、ＰＯＭ（ポリオキシメチレン）等の樹脂からなり、典型的には射出成型により一体成形される。なお、第１管本体１１Ｃ、雌型受け口部１２及び雄型挿し口部１３は、樹脂のほか金属によって構成されてもよい。
【００５５】
図２に示されるように、ナット２０は、円筒形状を呈し、雌型受け口部１２の外側に嵌合される。
【００５６】
図４（Ａ）及び図４（Ｂ）は、ナット２０の構成を説明するための斜視図である。図５は、一方のナット半体２２の拡大斜視図である。
【００５７】
図４（Ａ）及び図４（Ｂ）に示されるように、ナット２０は、二分割可能な一対のナット半体２１、２２を有する。各ナット半体２１、２２は半円筒形状を呈し、それぞれの開口部同士が相互に突き合わされて結合されることにより、円筒形状のナット２０が組み立てられる。
【００５８】
図２及び図５に示されるように、ナット２０の他端側に第２変位案内部２０Ｂが形成されている。この第２変位案内部２０Ｂは、全周にわたって径方向の内側に突出している。第２変位案内部２０Ｂは環状を呈し、その中心部に開口２０Ｃが形成されている。開口２０Ｃの内径は、雄型挿し口部１３の最大外径よりも大きい。
【００５９】
図４（Ａ）及び図４（Ｂ）に示されるように、ナット半体２１、２２のそれぞれの他端部に、第２変位案内部２０Ｂの半周部分が形成されている。第２変位案内部２０Ｂの半周部分同士は、ナット半体２１、２２同士が相互に突き合わされてナット２０に組み立てられた状態で連続し、環状の第２変位案内部２０Ｂを構成する。第２変位案内部２０Ｂの中心部に上記開口２０Ｃが形成される。
【００６０】
図２に示されるように、第２変位案内部２０Ｂは、第２案内曲面２０Ｅを備えている。この第２案内曲面２０Ｅは、第２変位案内部２０Ｂの内側面により構成されており、球面状に湾曲している。この第２案内曲面２０Ｅの曲率は、雄型挿し口部１３に設けられた第１案内曲面１４Ｂ（図３（Ａ）参照）の曲率に対応している。
【００６１】
図５に示されるように、一方のナット半体２２に第２案内曲面２０Ｅの半周部分が形成されている。図４（Ａ）及び（Ｂ）に示されるように、他方のナット半体２１にも、第２案内曲面２０Ｅの半周部分が形成されている。ナット半体２１、２２が相互に突き合わされてナット２０が組み立てられることにより、周方向に連続した第２案内曲面２０Ｅが形成される。
【００６２】
図２及び図５に示されるように、ナット２０の内周面に雌ネジ２０Ａが形成されている。図４（Ａ）及び図４（Ｂ）に示されるように、ナット半体２１、２２のそれぞれの内周面に雌ネジ２０Ａの半周部分が形成されている。ナット半体２１、２２同士が相互に突き合わされてナット２０が組み立てられることにより、周方向に連続した雌ネジ２０Ａが形成される。
【００６３】
図２及び図５に示されるように、ナット２０の一端側に突起２０Ｆが形成されている。この突起２０Ｆは、ナット２０の径方向内側に突出しており、全周にわたって環状に形成されている。図４（Ａ）及び図４（Ｂ）に示されるように、ナット半体２１、２２のそれぞれの一端部に突起２０Ｆの半周部分が形成されている。ナット半体２１、２２が相互に突き合わされてナット２０が組み立てられることにより、周方向に連続した突起２０Ｆが形成される。
【００６４】
ナット半体２１、２２のそれぞれに凸条２０Ｄが設けられている。各凸条２０Ｄは、ナット半体２１、２２の周方向の中央部に配置され、軸心線ＣＬ１の方向に延びている。また、各ナット半体２１、２２の対向面に凸条半体部２１Ｄ、２２Ｄがそれぞれ設けられている。ナット半体２１、２２同士が相互に突き合わされてナット２０が組み立てられることにより、凸条２０Ｄが形成される。すなわち、組み立てられたナット２０の外周面には、それぞれが軸心線ＣＬ１に沿った４本の凸条２０Ｄが周方向に一定の間隔を開けた状態で形成される。
【００６５】
図５に示されるように、一方のナット半体２２Ｂに設けられた凸条半体部２２Ｄには、４つの連結ピン２５が設けられている。各連結ピン２５は、凸条半体部２２Ｄに立設されている。３つの連結ピン２５は、軸心線ＣＬ１の方向に沿って一定の間隔をあけて並設されている。他の１つの連結ピン２５は、第２変位案内部２０Ｂに設けられている。
【００６６】
図４（Ａ）及び図４（Ｂ）に示されるように、凸条半体部２１Ｄに４つの孔部２６が設けられている。これらは、各連結ピン２５に対応する位置に配置されている。凸条半体部２１Ｄ、２２Ｄ同士が相互に突き合わされることにより、各連結ピン２５がそれぞれ対応する孔部２６に嵌め込まれる。各連結ピン２５は、対応する孔部２６に挿入されると、カシメ等によって各孔部２６から抜け止めされて固定される。これにより、ナット半体２１及び２２同士が連結固定されて、ナット２０が組み立てられる。
【００６７】
なお、ナット半体２１、２２は、連結ピン２５及び孔部２６の嵌合により連結される構成に限らず、ボルト及びナットのような締結部材等によって連結されてもよい。
【００６８】
図６は、隣り合う第１ケーブル保護体１０Ａが接続された状態を示す断面図である。
【００６９】
このような構成の第１ケーブル保護体１０Ａは、たとえば、同様の構成のケーブル保護体１０Ａに隣り合わされて、相互に連結される。この場合、一方の第１保護管１１Ａの一端部に設けられた雄型挿し口部１３の外側に、ナット２０が予め嵌合された状態とされる（図６参照）。
【００７０】
一方の第１保護管１１Ａの一端部に設けられた雄型挿し口部１３が、他方の第１保護管１１Ａの他端部に設けられた雌型受け口部１２に挿入される。一方の第１保護管１１Ａに設けられたナット２０が他方の第１保護管１１Ａの雌型受け口部１２と螺合する。ナット２０が操作され、さらにねじ込まれる。この場合、たとえば、ナット２０に設けられた各凸条２０Ｄに、ナット２０を回転させる治具が係合されると、ナット２０は容易に回転される。
【００７１】
ナット２０が回転されると、ナット２０の第２変位案内部２０Ｂが、一方の第１保護管１１Ａの第１変位案内部１４に接近する。これにより、当該第１変位案内部１４における第１案内曲面１４Ｂに、ナット２０の第２変位案内部２０Ｂにおける第２案内曲面２０Ｅが当接する。このような状態で、さらにナット２０が締め込まれると、一方の第１保護管１１Ａに設けられた雄型挿し口部１３が他方の第１保護管１１Ａにおける雌型受け口部１２内に圧入されると共に、ナット２０の一端面２０Ｈがフランジ１２Ｃに当接する。
【００７２】
図７は、図６における要部拡大図である。
【００７３】
図６及び図７に示されるように、ナット２０がフランジ１２Ｃに当接すると、ナット２０の締め込みがフランジ１２Ｃによって規制される。また、ナット２０に設けられた突起２０Ｆが、当該雌型受け口部１２の外周面に設けられた緩止溝１２Ｇに嵌合される。これにより、一方の第１保護管１１Ａの雄型挿し口部１３と他方の第１保護管１１Ａの雌型受け口部１２とが相互に嵌合連結され、一方の第１ケーブル保護体１０Ａと、他方の第１ケーブル保護体１０Ａとが連結される。
【００７４】
一対の第１ケーブル保護体１０Ａが連結された状態で、ナット２０の締め込みが規制されるから、ナット２０の第２変位案内部２０Ｂが、一方の第１保護管１１Ａの第１変位案内部１４に所定の押圧力で当接し、当該押圧力が過大になることが回避される。このため、相互に接した第１変位案内部１４と第２変位案内部２０Ｂとが摺接可能状態となる。つまり、一方の第１保護管１１Ａの雄型挿し口部１３が他方の第１保護管１１Ａの雌型受け口部１２に対してフレックスピボット変位する。
【００７５】
次に、第２ケーブル保護体１０Ｂについて説明する。
【００７６】
図８は、第２ケーブル保護体１０Ｂの縦断面図である。
【００７７】
図８に示されるように、第２ケーブル保護体１０Ｂは、内部にケーブル（図示せず）が挿通される第２保護管１１Ｂと、ナット２０とを有する。ナット２０は、第１ケーブル保護体１０Ａに設けられたナット２０と同様の構成である。後述のように、第２保護管１１Ｂは、内部を挿通されるケーブルのメンテナンスが可能である。
【００７８】
第２保護管１１Ｂは、第２管本体１１Ｘと、第２管本体１１Ｘの一方の端部に設けられた雄型挿し口部１３と、第２管本体１１Ｘの他方の端部に設けられた雌型受け口部１２とを有する。第２保護管１１Ｂの雄型挿し口部１３及び雌型受け口部１２は、上記雄型挿し口部１３及び雌型受け口部１２と同様の構成である。
【００７９】
図９は、図８の要部拡大図であり、第２ケーブル保護体１０Ｂにおける第２保護管１１Ｂの一部を拡大した縦断面図である。
【００８０】
図８及び図９に示されるように、第２保護管１１Ｂは、角筒形状の筒体１１Ｄを備えている。この筒体１１Ｄは、第２保護管１１Ｂの中央部に配置され、径方向の外側に突出している。図８に示されるように、筒体１１Ｄの軸心線ＣＬ２は、第２保護管１１Ｂの軸心線ＣＬ１と直交している。
【００８１】
図１０は、第２保護管１１Ｂに設けられた筒体１１Ｄの拡大斜視図である。
【００８２】
図１０に示されるように、筒体１１Ｄは、第２管本体１１Ｘの外周面から、当該外周面の接線方向に沿って延出された一対の第１壁面１１Ｅと、各第１壁面１１Ｅと直交する一対の第２壁面１１Ｆとを有する。一対の第１壁面１１Ｅ同士は同様の形状であり、一対の第１壁面１１Ｅにおけるそれぞれの突出側の先端は、同一の仮想平面上に位置する。一対の第２壁面１１Ｆ同士は同様の形状であり、各第２壁面１１Ｆの突出側の先端は、第１壁面１１Ｅにおけるそれぞれの突出側の先端が位置する仮想平面上に位置する。
【００８３】
したがって、一対の第１壁面１１Ｅにおけるそれぞれの先端と、一対の第２壁面１１Ｆにおけるそれぞれの先端とによって形成される端部開口は仮想平面上に位置しており、この端部開口によってメンテナンス窓１１Ｇが形成されている。メンテナンス窓１１Ｇは、第２保護管１１Ｂの内部を挿通するケーブルのメンテナンス作業において使用される。
【００８４】
図９に示されるように、メンテナンス窓１１Ｇの周縁部１１Ｎに凹部１１Ｈが全周にわたって形成されている。この凹部１１Ｈに、シール部材としてのゴム製の第３Ｏリング１１Ｊが嵌め込まれている。
【００８５】
図９及び図１０に示されるように、上記周縁部１１Ｎの凹部１１Ｈよりも外周側にリブ１１Ｋが設けられている。リブ１１Ｋは、一対の第２壁面１１Ｆの各先端面上においては連続している。これに対して、一対の第１壁面１１Ｅの各先端面上においては、リブ１１Ｋには三つの間隙１１Ｍが形成されている。一方の第１壁面１１Ｅに設けられた三つの間隙１１Ｍのそれぞれと、他方の第１壁面１１Ｅに設けられた三つの間隙１１Ｍのそれぞれとは対向している。
【００８６】
図１に示されるように、筒体１１Ｄ上にメンテナンス窓１１Ｇを開閉する蓋１６が取り付けられている。蓋１６は、たとえば、厚さが２ｍｍの鋼板によって構成されている。蓋１６は、メンテナンス窓１１Ｇを塞ぐ大きさの蓋本体１６Ａと、取付部１６Ｂとを有する。取付部１６Ｂは、蓋本体１６Ａにおける長手方向に沿った両側の側縁にそれぞれ三つずつ配置されている。なお、蓋１６は、鋼板に限らず、樹脂板等によって構成してもよい。
【００８７】
蓋本体１６Ａは、メンテナンス窓１１Ｇの周縁部１１Ｎに設けられたリブ１１Ｋの内周側に嵌合される。図９に示されるように、蓋本体１６Ａがリブ１１Ｋの内周側に嵌合されると、蓋本体１６Ａが第３Ｏリング１１Ｊに圧接される。
【００８８】
図１に示されるように、蓋本体１６Ａに形成された各取付部１６Ｂは、ボルト挿通孔１６Ｃを備えている。蓋本体１６Ａが上記周縁部１１Ｎ上に配置されると、蓋本体１６Ａに設けられた各取付部１６Ｂは、それぞれ、第１壁面１１Ｅの各先端面に設けられたリブ１１Ｋの間隙１１Ｍから外側に突出した状態になる。
【００８９】
蓋１６は、三つの締結バンド１７によって第２管本体１１Ｂの第２管部１１Ｘに取り付けられる。各締結バンド１７は、たとえば、鉄鋼材料からなる。締結バンド１７は、Ｕ字形状に湾曲されたバンド本体部１７Ａを有する。バンド本体部１７Ａの両端部には、バンド本体部１７Ａに対して外側に屈曲されたブラケット部１７Ｂがそれぞれ設けられている。各ブラケット部１７Ｂには、貫通孔１７Ｃが設けられている。
【００９０】
各締結バンド１７のブラケット部１７Ｂが、蓋１６に設けられた取付部１６Ｂと対向される。このような状態で、各取付部１６Ｂのボルト挿通孔１６Ｃ及びブラケット部１７Ｂの貫通孔１７Ｃにボルト１８が挿通され、各ボルト１８にナット部材１９が螺合される。これにより、蓋１６は、メンテナンス窓１１Ｇを塞いだ状態で第２管部１１Ｘの筒体１１Ｄに取り付けられる。このとき、蓋１６は、筒体１１Ｄの周縁部１１Ｎに設けられた第３Ｏリング１１Ｊに圧接されており、メンテナンス窓１１Ｇが蓋１６により液密状にシールされる。
【００９１】
なお、筒体１１Ｄは、弾性体によって構成してもよい。この場合には、第３Ｏリング１１Ｊを設ける必要はなく、蓋本体１６Ａが筒体１１Ｄの周縁部１１Ｎに圧接されることにより、蓋本体１６Ａと筒体１１Ｄとが液密状にシールされる。また、筒体１１Ｄは、角筒形状に限らず、円筒形状であってもよい。
【００９２】
この第２ケーブル保護体１０Ｂが第１ケーブル保護体１０Ａに連結される場合も、上記の第１ケーブル保護体１０Ａ同士を連結する場合と同様である。すなわち、第２ケーブル保護体１０Ｂの第２保護管１１Ｂに設けられた雄型挿し口部１３及び隣り合う第１ケーブル保護体１０Ａの第１保護１１Ａに設けられた雌型受け口部１２が互いに嵌め合わされ、ナット２０を介して連結される。また、第２ケーブル保護体１０Ｂの第２保護管１１Ｂに設けられた雌型受け口部１２及び隣り合う第１ケーブル保護体１０Ａの第１保護管１１Ａに設けられた雄型挿し口部１３が互いに嵌め合わされ、ナット２０を介して連結される。連結された第２ケーブル保護体１０Ｂと第１ケーブル保護体１０Ａとは、前述のようにフレックスピボット変位が可能である。
【００９３】
第２ケーブル保護体１０Ｂ内を挿通されるケーブルのメンテナンス作業が実施される場合には、第２保護管１１Ｂの第２管本体１１Ｘに取り付けられた蓋１６が、作業者によってメンテナンス窓１１Ｇから外される。なお、第２ケーブル保護体１０Ｂが地中に埋設されている場合には、第２保護管１１Ｂが地表に露出するように、地面が掘削される。
【００９４】
締結バンド１７が外されると、第２保護管１１Ｂに対する蓋１６の固定が解除されて、蓋１６は、作業者によって第２保護管１１Ｂから取り外される。このような状態になると、第２保護管１１Ｂに設けられた筒体１１Ｄのメンテナンス窓１１Ｇが開放され、作業者は、第２保護管１１Ｂの内部を挿通されるケーブルのメンテナンス作業を行うことができる。
【００９５】
［本実施形態の作用効果］
【００９６】
図６に示されるように、一対の第１ケーブル保護体１０Ａ同士が連結されると、隣り合う一対の第１保護管１１Ａのうち一方の第１保護管１１Ａの雄型挿し口部１３が、他方の第１保護管１１Ａの雌型受け口部１２に対してフレックスピボット変位が可能となる。これにより、第１保護管１１Ａに外力が加わった場合でも、第１保護管１１Ａのいずれか一方又は両方が破損することが抑制される。また、第１保護管１１Ａと第２保護管１１Ｂとが嵌合連結された場合も、両者は、フレックスピボット変位が可能である。これにより、第１保護管１１Ａ及び第２保護管１１Ｂのいずれか一方又は両方が破損することが抑制される。
【００９７】
第１保護管１１Ａの第１管本体１１Ｃ及び第２保護管１１Ｂの第２管本体１１Ｘは、液密的に連結される（つまり防水機能を発揮する）ので、別途保護ケースに収容される必要がない。これにより、第１ケーブル保護体１０Ａ同士の接続、あるいは第１ケーブル保護体１０Ａと第２ケーブル保護体１０Ｂの接続のための作業性が向上する。また、保護ケースが不要になることにより、ケーブル保護体としての経済性も向上する。
【００９８】
本実施形態では、雄型挿し口部１３の第１変位案内部１４と、ナット２０の第２変位案内部２０Ｂとに、互いに当接してフレックスピボット変位を案内する案内曲面が形成されている。これにより、前述のフレックスピボット変位が円滑になる。この場合、第２案内曲面２０Ｅは、同図が示すように、凸形状の第１案内曲面１４Ｂに対応した凹形状であるために、相互に当接した第２案内曲面２０Ｅと第１案内曲面１４Ｂとが円滑に摺接する。これにより、嵌合連結された雄型挿し口部１３及び雌型受け口部１２が一層滑らかに摺接し、両者の破損がより一層確実に抑制される。
【００９９】
図７に示されるように、雄型挿し口部１３に設けられた第１Ｏリング３１が弾性変形して、雌型受け口部１２の内周面１２Ａに設けられたゴム板１２Ｊに圧接される。これにより、嵌合状態になった雌型受け口部１２と雄型挿し口部１３との液密性が確保されつつ、両者の間の弾性的な変位が許容される。このことにより、雌型受け口部１２に対する雄型挿し口部１３のフレックスピボット変位がさらに円滑になる。
【０１００】
雄型挿し口部１３の先端面１３Ｃに設けられた第２Ｏリング３２が、第１保護管１１Ａの内周面に形成された段差部１５に弾性的に当接している。これにより、相互に嵌合された雌型受け口部１２と雄型挿し口部１３との間の弾性的な変位が許容される。このことによっても、雌型受け口部１２に対する雄型挿し口部１３のフレックスピボット変位が円滑になる。
【０１０１】
加えて、同図に示されるように、ナット２０に設けられた突起２０Ｆが、雌型受け口部１２の外周面に設けられた緩止溝１２Ｇに嵌合されることにより、ナット２０の緩みが確実に規制される。
【０１０２】
図４に示されるように、ナット２０は二分割可能な一対のナット半体２１、２２を有することから、一対のナット半体２１、２２が組み合わされることにより、第１保護管１１Ａ又は第２保護管１１Ｂに装着された状態でナット２０が組み付けられる。したがって、ナット２０の取り付け、交換等の作業性が向上する。また、図５に示されるように、一対のナット半体２１、２２は、両者間に挿入される連結ピン２５により連結されるから、ナット２０の取付作業が簡単である。
【０１０３】
図４に示されるように、ナット２０の外周面に軸方向に沿って凸条２２Ｄが形成されているため、ナット２０の強度が向上し、また、ナット２０の締め込み作業が容易になる。
【０１０４】
図２及び図８に示されるように、雌型受け口部１２及び雄型挿し口部１３は、第１管本体１１Ｃ又は第２管本体１１Ｘと一体的に形成されているために、第１管本体１１Ｃ又は第２管本体１１Ｘと、雌型受け口１２部及び雄型挿し口部１３とが一体的に成形され得る。したがって、ケーブル保護体１０Ａ、１０Ｂが安価に製造される。
【０１０５】
図１に示されるように、第２ケーブル保護体１０Ｂは、第２保護管１１Ｂにメンテナンス窓１１Ｇ及びメンテナンス窓１１Ｇを開閉する蓋１６が設けられているから、メンテナンス作業者は、蓋１６を外し、メンテナンス窓１１Ｇを通じて、第２管本体Ｃ内を挿通するケーブルのメンテナンス作業を容易に行うことができる。
【０１０６】
メンテナンス窓１１Ｇは、筒体１１Ｄの端面開口に設けられている。これにより、メンテナンス作業者は、筒体１１Ｄの端部開口を通じて、ケーブルのメンテナンス作業を行うことができる。
【０１０７】
［変形例１］
【０１０８】
上記実施形態では、ナット２０は、ナット半体２１、２２同士の結合によって形成されているが、このような構成に限らない。
【０１０９】
図１１は、本変形例に係る第１ケーブル保護体１０Ａの第１保護管１１Ａ及びナット２９の断面図である。
【０１１０】
図１１に示されるように、第１保護管１１Ａの構成は、上記実施形態における第１保護管１１Ａの構成と同様であり、第１管本体１１Ｃと、雌型受け口部１２と、雄型挿し口部１３とを有する。
【０１１１】
本変形例では、ナット２９は、合成樹脂（たとえば塩化ビニル）によって一体的に形成されており、また、凸条２０Ｄ（図４参照）が設けられていない。本変形例のナット２９は、これらのこと以外は、上記実施形態のナット２０と同様の構成である。
【０１１２】
ナット２９は、第１保護管１１Ａに設けられた雄型挿し口部１３に対して嵌合装着された状態で成型される。このために、たとえば、１つの金型において、第１変位案内部１４を有する雄型挿し口部１３の周囲に、ナット２９の内部の形状に対応した成型体と、当該成型体をナット２９の内部型として用いたナットの成型とを、同時に行う。すなわち、第１変位案内部１４を有する雄型挿し口部１３を金型内に配置して、雄型挿し口部１３の周囲に、たとえばＡＢＳ樹脂によってナット２９の内部形状に対応した形状の成型体を成型し、これと同時に、たとえば塩化ビニルによってナット２９を成型する。その後、ＡＢＳ樹脂製の成型体が雄型挿し口部１３から取り除かれることにより、雄型挿し口部１３に嵌合装着されたナット２９が形成される。
【０１１３】
［変形例２］
【０１１４】
第１保護管１１Ａにおいて、第１管本体１１Ｃと、雌型受け口部１２及び雄型挿し口部１３とは、それぞれ同一の樹脂によって一体的に成形される構成に限らない。たとえば、第１管本体１１Ｃ及び雌型受け口部１２が硬質の合成樹脂によって成形され、雄型挿し口部１３が弾性体によって構成されてもよい。この場合、雄型挿し口部１３は、第１管本体１１Ｃと一体的に接続される。弾性体である雄型挿し口部１３の外周面が、雌型受け口部１２の内周面に設けられたゴム板１２Ｊに弾性的に圧接されることになる。したがって、第１Ｏリング３１が用いられることなく、雌型受け口部１２及び雄型挿し口部１３とが弾性的かつ液密的に嵌合される。
【０１１５】
また、雌型受け口部１２にゴム板１２Ｊが設けられない構成であってもよい。この場合、弾性体である雄型挿し口部１３の外周面が、雌型受け口部１２の内周面に圧接されて、両者が弾性的かつ液密的に接触される。さらには、雌型受け口部１２が弾性体によって構成されてもよい。
【０１１６】
なお、第２保護管１１Ｂにおいても同様の設計変更が可能であり、第２管本体１１Ｘと、雌型受け口部１２及び雄型挿し口部１３とを、それぞれ同一の樹脂によって一体的に成形される構成に限らない。
【０１１７】
［変形例３］
【０１１８】
第１ケーブル保護体１０Ａにおける第１保護管１１Ａの第１管本体１１Ｃとしては、既存の管継手（汎用品）が使用可能である。
【０１１９】
図１２（Ａ）〜（Ｄ）のそれぞれは、第１保護管１１Ａとして使用される管継手４０Ａ〜４０Ｄの側面図である。
【０１２０】
図１２（Ａ）に示される管継手４０Ａは、直管状の継手本体４１Ａと、継手本体４１Ａの両端部に設けられた受け口部４２とを有する。このような管継手４０Ａを第１管本体１１Ｃとして使用する場合には、継手本体４１Ａの両端部に設けられた受け口部４２に、上記雌型受け口部１２及び上記雄型挿し口部１３がそれぞれ接続されることにより、第１保護管１１Ａとされる。なお、上記受け口部４２に雄ねじが形成されているが、この雄ねじは省略され、上記雌型受け口部１２及び上記雄型挿し口部１３が上記受け口部４２に接続されてもよい。
【０１２１】
図１２（Ｂ）に示される管継手４０Ｂは、直管状の継手本体４１Ａにおける中央部に分岐管４３が接続されている。継手本体４１Ａの両端部には、受け口部４２がそれぞれ設けられており、分岐管の先端部にも受け口部４２が設けられている。このような管継手４０Ｂでも、継手本体４１Ａにおける両端部の受け口部４２に、上記雌型受け口部１２及び上記雄型挿し口部１３がそれぞれ接続される。また、分岐管４３の受け口部４２に、上記雌型受け口部１２又は上記雄型挿し口部１３が一体的に接続される。これにより、第１ケーブル保護体１０Ａの第１保護管１１Ａが形成される。なお、上記受け口部４２に雄ねじが形成されているが、この雄ねじは省略されてもよいことは勿論である。
【０１２２】
図１２（Ｃ）に示される管継手４０Ｃは、直管状の継手本体４１Ａの中央部に、相互に逆方向に分岐した一対の分岐管４３が設けられている。継手本体４１Ａの両端部には、受け口部４２がそれぞれ設けられており、各分岐管４３の先端部にも受け口部４２が設けられている。このような管継手４０Ｃも、継手本体４１Ａにおける両端部の受け口部４２に、上記雌型受け口部１２及び上記雄型挿し口部１３がそれぞれ一体的に接続される。また、各分岐管４３の受け口部４２に、上記雌型受け口部１２及び上記雄型挿し口部１３のそれぞれが一体的に接続される。これにより、第１ケーブル保護体１０Ａの第１保護管１１Ａが形成される。なお、上記受け口部４２に雄ねじが形成されているが、この雄ねじは省略されてもよいことは勿論である。
【０１２３】
なお、図１２（Ａ）に示された管継手４０Ａに代えて、図１２（Ｄ）に示されるように、継手本体４１Ｄが湾曲形状になった管継手４０Ｄを、第１保護管１１Ａの第１管本体１１Ｃとして使用することも可能である。なお、上記受け口部４２に雄ねじが形成されているが、この雄ねじは省略されてもよいことは勿論である。
【０１２４】
［変形例４］
【０１２５】
図３に示されるように、上記実施形態では、雄型挿し口部１３における先端面１３Ｃに第２Ｏリング３２が設けられる構成であったが、このような第２Ｏリング３２が設けられない構成であってもよい。このような構成の場合、一方の第１保護管１１Ａの雄型挿し口部１３に、他方の第１保護管１１Ａの雌型受け口部１２が挿入されると、一方の第１保護管１１Ａにおける雄型挿し口部１３の先端面１３Ｃは、他方の第１保護管１１Ａにおける段差部１５との間に間隙が形成される。これにより、雌型受け口部１２に対する雄型挿し口部１３のフレックスピボット変位の許容範囲が大きくなる。
【符号の説明】
【０１２６】
１０Ａ    第１ケーブル保護体
１０Ｂ    第２ケーブル保護体
１１Ａ    第１保護管
１１Ｃ    第１管本体
１１Ｂ    第２保護管
１１Ｄ    筒体
１１Ｇ    メンテナンス窓
１１Ｘ    第２管本体
１２      雌型受け口部
１２Ｂ    雄ネジ
１２Ｃ    フランジ（ストッパ）
１２Ｇ    緩止溝
１３      雄型挿し口部
１４      第１変位案内部
１４Ｂ    第１案内曲面
１６      蓋
２０      ナット
２０Ａ    雌ネジ
２０Ｂ    第２変位案内部
２０Ｄ    凸条
２０Ｅ    第２案内曲面
２０Ｆ    突起部
２１      ナット半体
２２      ナット半体
２５      連結ピン
２６      孔部
２９      ナット
３１      第１Ｏリング
３２      第２Ｏリング
【要約】
【課題】作業性及び経済性に優れており、しかも、簡潔な構成であって、外力が直接的に作用することによる破損を抑制できるケーブル保護体の提供。
【解決手段】一方の第１管本体１１Ｃの一端部及び他端部にそれぞれ雌型受け口部１２及び雄型挿し口部１３が設けられている。雌型受け口部１２の外周面には雄ネジ１２Ｂが形成される。ナット２０は、他方の第１管本体１１Ｃの雄型挿し口部１２に嵌合されると当該雌型受け口部１２に形成された雄ネジ１２Ｂに螺合される。ナット２０の締め込みは、当該雌型受け口部１２のフランジ１２Ｃで規制される。当該雄型挿し口部１３及びナット２０は、フランジ１２Ｃによるナット２０の締め込みが規制された状態で、当該雌型受け口部１２に対する雄型挿し口部１３のフレックスピボット変位を許容する第１変位案内部１４及び第２変位案内部２０Ｂを有する。
【選択図】図６【図１】
0006029197.tif 000002
【図２】
0006029197.tif 000003
【図３】
0006029197.tif 000004
【図４】
0006029197.tif 000005
【図５】
0006029197.tif 000006
【図６】
0006029197.tif 000007
【図７】
0006029197.tif 000008
【図８】
0006029197.tif 000009
【図９】
0006029197.tif 000010
【図１０】
0006029197.tif 000011
【図１１】
0006029197.tif 000012
【図１２】
0006029197.tif 000013